(57)【特許請求の範囲】
【請求項１】
画像の構成要素を部品として配置することにより作成された表示画面を表示する表示部上に、タッチパネルが重ねて設けられるとともに、少なくとも一部の前記部品が前記タッチパネルの操作に関連づけられ、ビデオ画像に対応するビデオデータを入力可能であり、プログラマブルコントローラと接続される表示装置であって、
前記プログラマブルコントローラのデバイスに割り付けられ、前記デバイスの状態を設定または表示するための構成要素を部品として配置することにより作成された表示画面を描画データとして格納する描画データ格納手段と、
入力されたビデオデータを格納するビデオデータ格納手段と、
前記ビデオデータ格納手段に格納されるビデオデータに対応するビデオ画像を前記表示画面の任意の位置および大きさで表示するために、前記ビデオ画像の表示位置およびサイズを示す情報であるビデオデータ領城情報を格納するビデオデータ領域情報格納手段と、
前記表示画面において前記部品の画像と前記ビデオ画像とが重なり合う領域の表示態様を半透明または不透明のいずれかに設定する設定情報を格納する設定情報格納手段と、
前記描画データ、前記ビデオデータ領域情報および前記設定情報を前記描画データ格納手段、前記ビデオデータ領域情報格納手段および前記設定情報格納手段にそれぞれ予め書き込む書き込み手段と、
前記描画データ格納手段に格納された描画データおよび前記ビデオデータ領域情報格納手段に格納されたビデオデータ領域情報に基づいて、前記部品の画像と前記ビデオ画像とが重なり合う領域において、前記設定情報格納手段に格納された設定情報が半透明を示しているか不透明を示しているかを判別する判別手段と、
前記判別手段により前記設定情報が半透明を示していると判別された場合に前記部品の画像および前記ビデオ画像が半透明状態で表示されるように前記描画データ格納手段に格納された描画データと前記ビデオデータ格納手段に格納されたビデオデータとを合成する半透明化処理を行う合成手段とを備え、
前記部品の画像は、その部品に割り付けられたデバイスの状態に応じて変化する複数の画像状態を有し、前記合成手段は、前記複数の画像状態にかかわらず前記半透明化処理を行うことを特徴とする表示装置。
【請求項２】
前記描画データは、各画素ごとに前記ビデオ画像の表示が有効であるかまたは無効であるかのいずれかを設定するビデオ判別情報を含み、前記設定情報は、前記部品の画像と前記ビデオ画像とが重なり合う領域の表示態様を各画素ごとに半透明または不透明のいずれかに設定し、
前記合成手段は、前記部品の画像と前記ビデオ画像とが重なり合う領域において、前記判別手段の判別結果および前記ビデオ判別情報に基づいて各画素ごとに前記部品の画像、前記ビデオ画像、または前記半透明状態の画像が表示されるように前記描画データと前記ビデオデータとを合成することを特徴とする請求項１記載の表示装置。
【請求項３】
複数のビデオ画像を入力する入力手段をさらに備え、
前記ビデオデータ格納手段は、前記入力手段により入力された複数のビデオ画像に対応する複数のビデオデータを格納し、前記ビデオデータ領域情報格納手段は、前記複数のビデオ画像に対応する複数のビデオデータ領城情報を格納し、
前記合成手段は、前記ビデオデータ領域情報格納手段に格納された複数のビデオデータ領城情報に基づいて、前記部品の画像と前記複数のビデオ画像とが重なり合う複数の領域において前記部品の画像および前記複数のビデオ画像の半透明化処理をそれぞれ行うことを特徴とする請求項１または２記載の表示装置。
【発明の詳細な説明】
【０００１】
【発明の属する技術分野】
本発明は、タッチパネルを備えた表示装置に関する。
【０００２】
【従来の技術】
被制御機器をシーケンシャルに制御するためにプログラマブルコントローラが用いられている。このプログラマブルコントローラは、予め作成された制御プログラムに従って被制御機器を制御する。
【０００３】
また、プログラマブルコントローラ内のメモリには、種々のデバイスが割り付けられる。ここで、デバイスとは、制御プログラム上で用いられるリレー（入力リレー、出力リレー、入出力リレー、補助リレー等）、タイマ、カウンタ、データメモリ等の要素をいう。
【０００４】
プログラマブルコントローラによる被制御機器の制御動作に伴ってデバイスの状態が変化する。例えば、入力リレー等のビットデバイスのオンオフや、データメモリ等のワードデバイスのデータ値が変化する。
【０００５】
プログラマブルコントローラのデバイスの状態を表示するために表示装置が用いられる。この表示装置は、ディスプレイに重ねて設けられるタッチパネルを有し、デバイスの状態を表示するだけでなく、プログラマブルコントローラのデバイスの状態を設定するためにも用いられる。
【０００６】
表示装置のディスプレイには、種々の表示画面を表示することができる。表示装置の表示画面は、エディタ（描画装置）により予め描画データとして作成される。エディタにより作成された描画データは、表示装置内のメモリに転送されて格納される。メモリに格納された描画データに基づいて表示装置のディスプレイに表示画面が表示される。
【０００７】
エディタにおいては、編集ウィンドウに種々の部品を配置することにより種々の表示画面を作成することができる。ここで、部品とは、表示画面を構成する表示画面の構成要素をいう。
【０００８】
例えば、ディスプレイに表示されたスイッチ部品の画像の面積および位置に対応するタッチパネルの領域にスイッチ部品に関連付けられた機能を持たせることができる。それにより、操作者がディスプレイ上のスイッチ部品を押すことにより、実際にスイッチを操作した場合と同様のスイッチ動作が可能となる。
【０００９】
【発明が解決しようとする課題】
このような従来の表示装置は、通常の表示画面を構成する部品の画像とともにビデオカメラから入力されたビデオ画像を表示する機能を有する。この機能によれば、ビデオ画像上に部品の画像を配置して表示画面を作成することもできる。
【００１０】
この場合、ビデオ画像上に部品の画像が配置されるので、部品の画像が表示されている領域ではビデオ画像を確認することができないという問題がある。
【００１１】
本発明の目的は、ビデオ画像上に部品の画像を表示した場合でもビデオ画像を確認することができる表示装置を提供することである。
【００１２】
【課題を解決するための手段および発明の効果】
（１）第１の発明
第１の発明に係る表示装置は、画像の構成要素を部品として配置することにより作成された表示画面を表示する表示部上に、タッチパネルが重ねて設けられるとともに、少なくとも一部の部品がタッチパネルの操作に関連づけられ、ビデオ画像に対応するビデオデータを入力可能であり、プログラマブルコントローラと接続される表示装置であって、プログラマブルコントローラのデバイスに割り付けられ、デバイスの状態を設定または表示するための構成要素を部品として配置することにより作成された表示画面を描画データとして格納する描画データ格納手段と、入力されたビデオデータを格納するビデオデータ格納手段と、ビデオデータ格納手段に格納されるビデオデータに対応するビデオ画像を表示画面の任意の位置および大きさで表示するために、ビデオ画像の表示位置およびサイズを示す情報であるビデオデータ領城情報を格納するビデオデータ領域情報格納手段と、表示画面において部品の画像とビデオ画像とが重なり合う領域の表示態様を半透明または不透明のいずれかに設定する設定情報を格納する設定情報格納手段と、描画データ、ビデオデータ領域情報および設定情報を描画データ格納手段、ビデオデータ領域情報格納手段および設定情報格納手段にそれぞれ予め書き込む書き込み手段と、描画データ格納手段に格納された描画データおよびビデオデータ領域情報格納手段に格納されたビデオデータ領域情報に基づいて、部品の画像とビデオ画像とが重なり合う領域において、設定情報格納手段に格納された設定情報が半透明を示しているか不透明を示しているかを判別する判別手段と、判別手段により設定情報が半透明を示していると判別された場合に部品の画像およびビデオ画像が半透明状態で表示されるように描画データ格納手段に格納された描画データとビデオデータ格納手段に格納されたビデオデータとを合成する半透明化処理を行う合成手段とを備え、部品の画像は、その部品に割り付けられたデバイスの状態に応じて変化する複数の画像状態を有し、合成手段は、複数の画像状態にかかわらず半透明化処理を行うものである。
【００１３】
本発明に係る表示装置によれば、表示画面に対応する描画データが描画データ格納手段に格納され、入力されたビデオデータがビデオデータ格納手段に格納される。表示画面は、プログラマブルコントローラのデバイスに割り付けられ、デバイスの状態を設定または表示するための構成要素を部品として配置することにより作成される。
また、ビデオデータ格納手段に格納されるビデオデータに対応するビデオ画像を表示画面の任意の位置および大きさで表示するために、ビデオ画像の表示位置およびサイズを示す情報であるビデオデータ領城情報がビデオデータ領域情報格納手段に格納される。さらに、表示画面において部品の画像とビデオ画像とが重なり合う領域の表示態様を半透明または不透明のいずれかに設定する設定情報が設定情報格納手段に格納される。描画データ、ビデオデータ領域情報および設定情報は、書き込み手段により描画データ格納手段、ビデオデータ領域情報格納手段および設定情報格納手段にそれぞれ予め書き込まれる。
描画データ格納手段に格納された描画データおよびビデオデータ領域情報格納手段に格納されたビデオデータ領域情報に基づいて、部品の画像とビデオ画像とが重なり合う領域において、設定情報格納手段に格納された設定情報が半透明を示しているか不透明を示しているかが判別手段により判別される。判別手段により設定情報が半透明を示していると判別された場合に部品の画像およびビデオ画像が半透明状態で表示されるように描画データ格納手段に格納された描画データとビデオデータ格納手段に格納されたビデオデータとを合成する半透明化処理が合成手段により行なわれる。部品の画像は、その部品に割り付けられたデバイスの状態に応じて変化する複数の画像状態を有する。複数の画像状態にかかわらず合成手段により半透明化処理が行われる。
【００１４】
このように、表示画面の設定された領域において互いに重なり合う部品の画像およびビデオ画像を半透明状態で表示することができるので、ビデオ画像上に部品の画像を表示した場合でもビデオ画像を確認することができる。
また、ビデオ画像上に表示される部品の画像の画像状態が変化した場合でも、ビデオ画像を確認することができる。
【００１５】
（２）第２の発明
第２の発明に係る表示装置は、第１の発明に係る表示装置の構成において、前記描画データは、各画素ごとにビデオ画像の表示が有効であるかまたは無効であるかのいずれかを設定するビデオ判別情報を含み、設定情報は、部品の画像とビデオ画像とが重なり合う領域の表示態様を各画素ごとに半透明または不透明のいずれかに設定し、合成手段は、部品の画像とビデオ画像とが重なり合う領域において、判別手段の判別結果およびビデオ判別情報に基づいて各画素ごとに部品の画像、ビデオ画像、または半透明状態の画像が表示されるように描画データとビデオデータとを合成するものである。
【００１６】
この場合、表示画面の各画素ごとに部品の画像、ビデオ画像、または半透明状態の画像を表示することができる。
【００１９】
（３）第３の発明
第３の発明に係る表示装置は、第１または第２の発明に係る表示装置の構成において、複数のビデオ画像を入力する入力手段をさらに備え、ビデオデータ格納手段は、入力手段により入力された複数のビデオ画像に対応する複数のビデオデータを格納し、ビデオデータ領域情報格納手段は、複数のビデオ画像に対応する複数のビデオデータ領城情報を格納し、合成手段は、ビデオデータ領域情報格納手段に格納された複数のビデオデータ領城情報に基づいて、部品の画像と複数のビデオ画像とが重なり合う複数の領域において部品の画像および複数のビデオ画像の半透明化処理をそれぞれ行うものである。
【００２０】
この場合、表示画面の複数の領域に複数のビデオ画像をそれぞれ表示することができるとともに、複数の領域において部品の画像および複数のビデオ画像の半透明化処理をそれぞれ行うことができる。したがって、表示画面の複数の領域においてそれぞれビデオ画像上に部品の画像を表示した場合でも、ビデオ画像を確認することができる。
【００２１】
【発明の実施の形態】
図１は本発明の一実施の形態における表示装置の構成を示すブロック図である。
【００２２】
図１において、表示装置１００は、ＣＰＵ（中央演算処理装置）１１０、ＬＣＤ（液晶ディスプレイ）からなるディスプレイ１２０、タッチパネル１３０、表示用処理部１４０、画像格納用処理部１５０、描画データ格納用メモリ１６０、ビデオデータ格納用メモリ１７０、ビデオデコーダ１８０、Ａ／Ｄ（アナログ／デジタル）変換器１９０および通信制御部２１０を含む。
【００２３】
表示用処理部１４０および画像格納用処理部１５０は、ＡＳＩＣ（特定用途向け集積回路）により構成される。表示用処理部１４０は、設定用レジスタ１４１および合成半透明処理部１４２を含む。通信制御部２１０にはプログラマブルコントローラ５００が接続され、Ａ／Ｄ変換器１９０にはカメラＣＡが接続される。
【００２４】
タッチパネル１３０はディスプレイ１２０上に重ねて設けられている。ディスプレイに表示される表示画面は、エディタ（描画装置；図示せず）を用いて、編集ウィンドウ上に種々の部品を配置することにより作成することができる。
【００２５】
ここで、部品とは、表示画面を構成する表示画面の構成要素をいう。部品としては、例えば、ランプ部品、スイッチ部品、ランプスイッチ部品、数値表示部品、文字表示部品等がある。エディタにより作成された表示画面は、描画データとして描画データ格納用メモリ１６０に格納される。
【００２６】
ＣＰＵ１１０は、エディタにより設定された内容に従って設定用レジスタ１４１に後述する各種情報を書き込むとともに、タッチパネル１３０からの入力により描画データ格納用メモリ１６０に格納された描画データの更新を行う。
【００２７】
一方、Ａ／Ｄ変換器１９０は、カメラＣＡから入力された映像信号をアナログ／デジタル変換し、ビデオデータとして出力する。ビデオデコーダ１８０は、Ａ／Ｄ変換器１９０から出力されるビデオデータをＮＴＳＣ方式からＲＧＢ方式に変換する。ここで、ビデオデータとは、ビットマップ形式の画像データである。
【００２８】
画像格納用処理部１５０は、ビデオデコーダ１８０から出力されるビデオデータに所定の処理を行い、ビデオデータ格納用メモリ１７０に格納する。ここで、所定の処理は、ビデオデータを後述するビデオ画像表示エリアに合わせて切り抜く処理および縮小する処理を含む。また、画像格納用処理部１５０は、ビデオデータ格納用メモリ１７０に格納されたビデオデータを表示用処理部１４０の合成半透明処理部１４２に与える。
【００２９】
表示用処理部１４０の合成半透明処理部１４２は、設定用レジスタ１４１に設定された各種情報および描画データ格納用メモリ１６０に格納された情報に基いて描画データ格納用メモリ１６０に格納された描画データとビデオデータ格納用メモリ１７０から与えられるビデオデータとの合成および半透明化処理を行い、ディスプレイ１２０に表示画面を表示する。
【００３０】
プログラマブルコントローラ５００のメモリには、各種デバイスが割り付けられる。ここで、デバイスとは、制御プログラム上で用いられるリレー（入力リレー、出力リレー、入出力リレー、補助リレー等）、タイマ、カウンタ、データメモリ等の要素をいう。デバイスの状態は、ディスプレイ１２０に表示される表示画面内に表示される。
【００３１】
表示画面の部品には、プログラマブルコントローラ５００のデバイスを割り付けることができる。例えば、ランプ部品は、割り付けられたデバイスの状態を表示するために用いられる。また、スイッチ部品は、割り付けられたデバイスの状態を設定するために用いられる。さらに、ランプスイッチ部品は、割り付けられたデバイスの状態を表示するとともに、そのデバイスの状態を設定するために用いられる。
【００３２】
このような部品は、部品の機能を表現するために複数の画像状態を有する。例えば、スイッチ部品には、スイッチのオンを示す画像状態とスイッチのオフを示す画像状態とが用意されている。例えば、スイッチのオンは赤い画像状態で表され、スイッチのオフは青い画像状態で表される。ランプ部品には、ランプのオンを示す画像状態とオフを示す画像状態とが用意されている。例えば、ランプのオンは明るい画像状態で表され、ランプのオフは暗い画像状態で表される。ランプスイッチ部品には、スイッチのオンを示す画像状態、スイッチのオフを示す画像状態、ランプのオンを示す画像状態およびランプのオフを示す画像状態が用意されている。
【００３３】
図２は描画データのフォーマットを示す概念図である。図２に示すように、描画データは、各画素ごとにビデオ判別情報、半透明判別情報、描画データ（赤）、描画データ（緑）および描画データ（青）により構成される。
【００３４】
ここで、ビデオ判別情報は、各画素ごとにビデオ画像が有効であるか無効であるかを示す情報である。また、半透明判別情報は、ビデオ画像が有効である場合に各画素ごとにビデオ画像が半透明であるか不透明であるかを示す情報である。描画データは、各画素ごとに赤、緑および青の輝度値を示すデータである。
【００３５】
図３は図１の設定用レジスタ１４１の設定内容を示す概念図である。設定用レジスタ１４１には、ビデオデータ領域情報（座標およびサイズ）およびビデオデータ表示／非表示情報が設定される。
【００３６】
ここで、ビデオデータ領域情報は、ビデオ画像表示エリアの座標およびサイズを示す情報である。ビデオデータ表示／非表示情報は、ビデオ画像表示エリアにおけるビデオ画像の表示または非表示を示す情報である。
【００３７】
図４はビデオデータのフォーマットを示す概念図である。図４に示すように、ビデオデータは、各画素ごとにビデオデータ（赤）、ビデオデータ（緑）およびビデオデータ（青）により構成される。ここで、ビデオデータは、ビデオ画像の各画素ごとに赤、緑および青の輝度値を示すデータである。
【００３８】
本実施の形態では、描画データ格納用メモリ１６０が描画データ格納手段および設定情報格納手段に相当し、ビデオデータ格納用メモリ１７０がビデオデータ格納手段に相当し、設定用レジスタ１４１がビデオデータ領域情報格納手段に相当し、ＣＰＵ１１０が書き込み手段および判別手段に相当し、合成半透明処理部１４２が合成手段に相当する。また、ディスプレイ１２０が表示部に相当する。さらに、半透明判別情報が設定情報に相当する。
【００３９】
図５は描画データとビデオデータとの合成および半透明化処理の一例を示す模式図である。
【００４０】
図５（ａ）は描画データに基づいて表示される表示画面を示し、図５（ｂ）はビデオデータに基づいて表示されるビデオ画像を示し、図５（ｃ）は描画データとビデオデータとの合成および透明化処理により得られた表示画面を示す。
【００４１】
図５（ａ）の表示画面２５０には、ビデオ画像表示エリア２６０が設定されている。ビデオ画像表示エリア２６０には、部品２１１，２１２が配置されている。ビデオ画像表示エリア２６０の位置および大きさは、設定用レジスタ１４１のビデオデータ領域情報により設定されている。
【００４２】
設定用レジスタ１４１のビデオデータ表示／非表示情報により、ビデオ画像表示エリア２６０内でのビデオ画像３００の表示または非表示を設定することができる。図５の例では、設定用レジスタ１４１のビデオデータ表示／非表示情報が表示に設定されている。
【００４３】
表示画面２５０の各画素ごとにビデオ判別情報を有効または無効に設定することができる。図５の例では、ビデオ画像表示エリア２６０内の部品２１１を除く領域でビデオ判別情報が有効に設定され、部品２１１の領域でビデオ判別情報が無効に設定されている。それにより、部品２１１は不透明部品となる。また、表示画面２５０の各画素ごとに半透明判別情報を半透明または不透明に設定することができる。図５の例では、部品２１２の領域において半透明判別情報が半透明に設定されている。それにより、部品２１２は半透明部品となる。
【００４４】
図５（ｃ）に示す合成および半透明化処理された表示画面６００では、ビデオ画像表示エリア２６０内にビデオ画像３００が表示されるとともに、部品２１１が不透明部品として表示され、部品２１２が半透明部品として表示されている。
【００４５】
ここで、部品２１１，２１２には、プログラマブルコントローラ５００のデバイスを割り付けることができる。その場合、部品２１１，２１２は、部品の機能を表現するために複数の画像状態を有する。例えば、部品２１１，２１２がランプ部品の場合には、ランプのオンを明るい画像状態で表し、ランプのオフを暗い画像状態で表す。
【００４６】
本実施の形態の表示装置１００においては、部品２１１，２１２の画像状態にかかわらず、部品２１１，２１２の透明および不透明を設定することができる。
【００４７】
図６および図７は図１の表示装置１００における表示動作を示すフローチャートである。
【００４８】
まず、ＣＰＵ１１０は、描画データおよびビデオデータをそれぞれ描画データ格納用メモリ１６０およびビデオデータ格納用メモリ１７０から１画素ずつ読み込む（ステップＳ１）。次に、ＣＰＵ１１０は、当該画素が設定用レジスタ１４１のビデオデータ領域情報により設定されるビデオ画像表示エリア内にあるか否かを判別する（ステップＳ２）。
【００４９】
当該画素がビデオ画像表示エリア内にある場合には、設定用レジスタ１４１のビデオデータ表示／非表示情報が表示を示しているか否かを判別する（ステップＳ３）。ビデオデータ表示／非表示情報が表示を示している場合には、描画データのビデオ判別情報が表示を示しているか否かを判別する（ステップＳ４）。
【００５０】
描画データのビデオ判別情報が表示を示している場合には、描画データの半透明判別情報が半透明を示しているか否かを判別する（ステップＳ６）。描画データの半透明判別情報が半透明を示している場合には、描画データとビデオデータとを半透明化してディスプレイ１２０に表示し（ステップＳ７）、ステップＳ１に戻る。ここで、半透明化処理は、１画素の描画データの輝度値とビデオデータの輝度値との論理演算により描画データとビデオデータとを合成する処理であり、本例では、１画素の描画データの輝度値とビデオデータの輝度値との平均値を求める処理である。
【００５１】
ステップＳ２において当該画素が設定用レジスタ１４１のビデオデータ領域情報により設定されたビデオ画像表示エリア内にない場合、ステップＳ３において設定用レジスタ１４１のビデオデータ表示／非表示情報が表示を示していない場合およびステップＳ４において描画データのビデオ判別情報が表示を示していない場合には、描画データをディスプレイ１２０に表示する（ステップＳ５）。その後、ステップＳ１に戻る。
【００５２】
ステップＳ６において描画データの半透明判別情報が半透明を示していない場合には、ビデオデータをディスプレイ１２０に表示する（ステップＳ８）。その後、ステップＳ１に戻る。
【００５３】
このようにして、表示画面の全画素についてステップＳ１〜Ｓ８の処理を繰り返す。
【００５４】
図８は図１のタッチパネル１３０が操作された場合のＣＰＵ１１０の処理を示すフローチャートである。
【００５５】
ＣＰＵ１１０は、図１のタッチパネル１３０が操作されたか否かを判別する（ステップＳ１０）。タッチパネル１３０が操作された場合には、ＣＰＵ１１０は、タッチパネル１３０の操作に応じて描画データ格納用メモリ１６０の描画データを更新し（ステップＳ１１）、ステップＳ１０に戻る。
【００５６】
以上説明したように、図１の表示装置１００においては、カメラＣＡにより得られるビデオ画像を表示画面の任意の位置に任意の大きさで表示することができるとともに、互いに重なり合う部品の画像およびビデオ画像を半透明化することができる。したがって、ビデオ画像上に部品の画像が表示される場合でも、ビデオ画像を確認することができる。
【００５７】
図９は本発明の他の実施の形態における表示装置の構成を示すブロック図である。図９の表示装置１００ａはビデオ画像の入力チャンネルを複数個有する。
【００５８】
図９の表示装置１００ａが図１の表示装置１００と異なるのは、表示用処理部１４０が複数チャンネルに対応する複数の設定用レジスタ１４１Ａ，１４１Ｂ，１４１Ｃ，１４１Ｄを含む点、および複数チャンネルに相当する複数のカメラＣＡ１，ＣＡ２，ＣＡ３，ＣＡ４から入力される映像信号を選択するセレクタ２００がさらに設けられている点である。本実施の形態では、セレクタ２００が入力手段に相当する。
【００５９】
設定用レジスタ１４１Ａ，１４１Ｂ，１４１Ｃ，１４１Ｄの設定内容は、それぞれカメラＣＡ１，ＣＡ２，ＣＡ３，ＣＡ４からのビデオ画像を表示するためのビデオ画像表示エリアを示している。それにより、表示画面上に複数のカメラＣＡ１，ＣＡ２，ＣＡ３，ＣＡ４からのビデオ画像をそれぞれ表示する複数のビデオ画像表示エリアを設定することができる。
【００６０】
画像格納用処理部１５０は、設定用レジスタ１４１Ａ，１４１Ｂ，１４１Ｃ，１４１Ｄの設定内容に応じてセレクタ２００を順次切り替える。セレクタ２００は、カメラＣＡ１，ＣＡ２，ＣＡ３，ＣＡ４から入力される映像信号を順次選択し、Ａ／Ｄ変換器１９０に与える。Ａ／Ｄ変換器１９０は、セレクタ２００から出力される映像信号をアナログ／デジタル変換し、ビデオデータを出力する。ビデオデコーダ１８０は、Ａ／Ｄ変換器１９０から出力されたビデオデータの方式を変換する。画像格納用処理部１５０は、ビデオデコーダ１８０により得られたビデオデータをビデオデータ格納用メモリ１７０に格納する。
【００６１】
図１０は図９の表示装置１００ａにより表示される表示画面の一例を示す模式図である。
【００６２】
本例では、設定用レジスタ１４１Ａ，１４１Ｂのビデオデータ表示／非表示情報が表示に設定され、設定用レジスタ１４１Ｃ，１４１Ｄのビデオデータ表示／非表示情報が非表示に設定されているものとする。
【００６３】
この場合、図１０に示すように表示画面６１０に、ビデオカメラＣＡ１により得られるビデオ画像を表示するビデオ画像表示エリア２６０ＡおよびビデオカメラＣＡ２により得られるビデオ画像を表示するビデオ画像表示エリア２６０Ｂが設定される。また、表示画面６１０には、ビデオカメラＣＡ３，ＣＡ４により得られるビデオ画像を表示するビデオ画像表示エリアは設定されない。
【００６４】
このように、図９の表示装置１００ａにおいては、複数のカメラＣＡ１〜ＣＡ４により得られるビデオ画像を表示画面６１０の任意の位置に任意の大きさで表示することができる。この場合にも、各ビデオ画像表示エリア内の任意の領域の部品の画像およびビデオ画像を半透明化することができる。したがって、ビデオ画像上に部品の画像が表示される場合でも、ビデオ画像を確認することができる。
【図面の簡単な説明】
【図１】本発明の一実施の形態における表示装置の構成を示すブロック図である。
【図２】描画データのフォーマットを示す概念図である。
【図３】図１の設定用レジスタの設定内容を示す概念図である。
【図４】ビデオデータのフォーマットを示す概念図である。
【図５】描画データとビデオデータとの合成および半透明化処理の一例を示す模式図である。
【図６】図１の表示装置における表示動作を示すフローチャートである。
【図７】図１の表示装置における表示動作を示すフローチャートである。
【図８】図１のタッチパネルが操作された場合のＣＰＵの処理を示すフローチャートである。
【図９】本発明の他の実施の形態における表示装置の構成を示すブロックである。
【図１０】図９の表示装置により表示される表示画面の一例を示す模式図である。
【符号の説明】
１００，１００ａ  表示装置
１１０  ＣＰＵ
１２０  ディスプレイ
１３０  タッチパネル
１４０  表示用処理部
１４１，１４１Ａ，１４１Ｂ，１４１Ｃ，１４１Ｄ  設定用レジスタ
１４２  合成半透明処理部
１５０  画像格納用処理部
１６０  描画データ格納用メモリ
１７０  ビデオデータ格納用メモリ
１８０  ビデオデコーダ
１９０  Ａ／Ｄ変換器
２００  セレクタ
２１０  通信制御部
５００  プログラマブルコントローラ
ＣＡ，ＣＡ１，ＣＡ２，ＣＡ３，ＣＡ４  カメラ
【図１】
0004596655.tif 000002
【図２】
0004596655.tif 000003
【図３】
0004596655.tif 000004
【図４】
0004596655.tif 000005
【図５】
0004596655.tif 000006
【図６】
0004596655.tif 000007
【図７】
0004596655.tif 000008
【図８】
0004596655.tif 000009
【図９】
0004596655.tif 000010
【図１０】
0004596655.tif 000011